(57)【要約】【課題】本発明は、一般にコンピューター周辺機器及びこれに類する技術に関し、特に、リムーバブル媒体ドライブ中でリムーバブル媒体の印刷の用に供するプリンター機構に関する。【解決手段】ドライブは光学媒体のユニット上にラベルを印刷することが可能である。このドライブは、第１側面上のこの媒体に光学連通する第１ヘッドと、一方で媒体が制御位置にある間、第２側面上に、光学媒体のユニットに関連した視覚ラベルを適用するための第２ラベル印刷ヘッドとを有している。第２ヘッドは、光学的読取専用ヘッド又は読取−書込ヘッドを有している。第２ラベル印刷ヘッドは、固定又は可動印刷ヘッド、熱ヘッド、インクジェット型ヘッド又はレーバー型印刷ヘッドを含んでいる。この第２ヘッドは、電気接点又はワイヤレスインターフェースを介して、アドレス可能で液晶要素を介して視覚ディスプレイを提供することが可能なアドレス可能要素を有する円形フィルムにて連通可能である。【選択図】図２Ａ
2005071566.tif 000002
【特許請求の範囲】
【請求項１】
光学媒体ユニット上にラベルを印刷することが可能なドライブであって：
シャシードライブユニット；
前記シャシードライブユニットに接続され、前記光学媒体ユニットを受け入れ可能であり且つ制御位置にて当該ドライブ内に前記ユニットを位置取り可能である、移動機構；
前記シャシードライブユニットに接続され、第１側面上で、前記光学媒体ユニットに光学連通可能な第１ヘッド；及び
前記シャシードライブユニットに接続され、第２側面上に、前記光学媒体ユニットに関連した視覚ラベルを適用可能な、第２ラベル印刷ヘッド；
を備え、
前記第１ヘッド及び前記第２ラベル印刷ヘッドは、前記光学媒体ユニットが前記制御位置にて、当該ドライブ内に配置される一方で、光学連通可能で且つ前記視覚ラベルの適用が可能であることを特徴とする、ドライブ。
【請求項２】
前記第１ヘッドは光学的読取専用ヘッドを有することを特徴とする請求項１に記載のドライブ。
【請求項３】
前記第１ヘッドは光学的読取−書込ヘッドを有することを特徴とする請求項１に記載のドライブ。
【請求項４】
前記第２ラベル印刷ヘッドは、固定印刷ヘッドを有することを特徴とする請求項１に記載のドライブ。
【請求項５】
前記第２ラベル印刷ヘッドは、可動印刷ヘッドを有することを特徴とする請求項１に記載のドライブ。
【請求項６】
前記第２ラベル印刷ヘッドは、感熱式印刷ヘッドを有することを特徴とする請求項１に記載のドライブ。
【請求項７】
前記第２ラベル印刷ヘッドは、インクジェット型印刷ヘッドを有することを特徴とする請求項１に記載のドライブ。
【請求項８】
前記第２ラベル印刷ヘッドは、レーザー型印刷ヘッドを有することを特徴とする請求項１に記載のドライブ。
【請求項９】
前記光学媒体ユニットは、電子ラベリング装置に装填されることが可能であり、前記第２ヘッドは、前記ユニットが前記制御位置にて、前記移動機構内に受け入れられる際、前記電子ラベリング装置に連通可能であることを特徴とする請求項１に記載のドライブ。
【請求項１０】
前記第２ラベル印刷ヘッドは、一つ以上の電気接点を介して、前記電子ラベリング装置に連通可能であることを特徴とする請求項９に記載のドライブ。
【請求項１１】
前記第２ラベル印刷ヘッドは、ワイヤレスインターフェースを介して、前記電子ラベリング装置に連通可能であることを特徴とする請求項９に記載のドライブ。
【請求項１２】
光学媒体ユニットにボンディングされることが可能な円形フィルムであって：
ボンディング領域；及び
前記ボンディング領域に接続されたアドレス可能要素領域；
を備え、
前記アドレス可能要素領域は、一つ以上のアドレス可能要素を有し、
該アドレス可能要素は、ヘッドによりアドレスされることが可能であり、
前記アドレス可能要素は、アドレスされる際、視覚ディスプレイを提供することが可能であることを特徴とする、円形フィルム。
【請求項１３】
前記の一つ以上のアドレス可能要素は、液晶要素を有することを特徴とする請求項１２に記載の円形フィルム。
【請求項１４】
前記の一つ以上のアドレス可能要素は、一つ以上の接点を有し、
前記ヘッドは、接触ヘッドを有し、且つ
前記アドレス可能要素は、電気接点により、前記接触ヘッドと前記の一つ以上の接点との間でアドレスされることを可能であることを特徴とする請求項１２に記載の円形フィルム。
【請求項１５】
前記の一つ以上のアドレス可能要素は、関連付けられた一つ以上のワイヤレスレシーバーを有し、
前記ヘッドは、ワイヤレスヘッドを有し、且つ
前記アドレス可能要素は、ワイヤレスインターフェースを介して、前記ワイヤレスヘッドと前記の一つ以上のワイヤレスレシーバーとの間でアドレスされることが可能であることを特徴とする請求項１２に記載の円形フィルム。
【請求項１６】
光学媒体ユニットに適用されることが可能な製品であって：
円形フィルムを備え、該円形フィルムは：
ボンディング領域；及び
前記ボンディング領域に接続されたアドレス可能要素領域；
を有し、
前記アドレス可能要素領域は、一つ以上のアドレス可能要素を有し、
該アドレス可能要素は、ヘッドによりアドレスされることが可能であり、
前記アドレス可能要素は、アドレスされる際、視覚ディスプレイを提供することが可能であることを特徴とする、製品。
【請求項１７】
前記円形フィルムは、端部に接触領域をさらに有し、
前記ヘッドは、接触ヘッドを有し、
前記の一つ以上のアドレス可能要素は、前記接触ヘッドにより、前記接触領域における、一つ以上の対応するロー接点及び一つ以上の対応するカラム接点の接触を介してアドレス可能であることを特徴とする請求項１６に記載の製品。
【請求項１８】
前記ヘッドは、ワイヤレスヘッドを有し、
前記の一つ以上のアドレス可能要素は、ワイヤレスインターフェースを介して、前記の一つ以上のアドレス可能要素に関連付けられた一つ以上のレシーバーにてアドレス可能であることを特徴とする請求項１６に記載の製品。
【請求項１９】
光学媒体ユニット上にラベルを印刷することができる機構であって：
第１側面上で、前記光学媒体ユニットに光学連通可能な第１ヘッド；及び
前記第１ヘッドの少なくとも一部に接続され、第２側面上で、前記光学媒体ユニットに関連付けられた視覚ラベルを適用することが可能な、第２ラベル印刷ヘッド；
を備え、
前記第１ヘッド及び前記第２ラベル印刷ヘッドは、光学連通可能で、且つ、前記光学媒体ユニットが、制御位置にて前記ドライブ内に配置されている一方で、前記視覚ラベルを適用可能であることを特徴とする、機構。
【請求項２０】
前記第１ヘッドは、光学的読取専用ヘッドを有していることを特徴とする請求項１９に記載の機構。
【請求項２１】
前記第１ヘッドは、光学的読取−書込ヘッドを有していることを特徴とする請求項１９に記載の機構。
【請求項２２】
前記第２ラベル印刷ヘッドは、固定印刷ヘッドを有していることを特徴とする請求項１９に記載の機構。
【請求項２３】
前記第２ラベル印刷ヘッドは、可動印刷ヘッドを有することを特徴とする請求項２３に記載の機構。
【請求項２４】
前記第２ラベル印刷ヘッドは、感熱式印刷ヘッドを有することを特徴とする請求項２３に記載の機構。
【請求項２５】
前記第２ラベル印刷ヘッドは、インクジェット型印刷ヘッドを有することを特徴とする請求項２３に記載の機構。
【請求項２６】
前記第２ラベル印刷ヘッドは、レーザー型印刷ヘッドを有することを特徴とする請求項２３に記載の機構。
【請求項２７】
前記光学媒体ユニットは、電子ラベリング装置に装填されることが可能であり、
前記第２ヘッドは、前記ユニットが前記制御位置にある場合、前記電子ラベリング装置に連通可能であることを特徴とする請求項１９に記載の機構。
【請求項２８】
前記第２ラベル印刷ヘッドは、一つ以上の電気接点を介して、前記電子ラベリング装置に連通可能であることを特徴とする請求項２７に記載の機構。
【請求項２９】
前記第２ラベル印刷ヘッドは、ワイヤレスインターフェースを介して、前記電子ラベリング装置に連通可能であることを特徴とする請求項２７に記載の機構。
【請求項３０】
コンピューターシステム内に光学媒体ユニットを単一挿入して、前記光学媒体上にラベルを印刷することができるコンピューターシステムであって：
プロセッサー；及び
前記プロセッサーに接続された光学ドライブ；
を有し、
前記光学ドライブは：
第１側面上で、前記光学媒体ユニットに光学連通可能である第１ヘッド；及び
前記第１ヘッドの少なくとも一部に接続され、第２側面上で、前記光学媒体ユニットに関連付けられた視覚ラベルを適用することが可能な、第２ラベル印刷ヘッド；
をさらに有し、
前記第１ヘッド及び前記第２ラベル印刷ヘッドは、光学連通可能であり、且つ、前記光学媒体ユニットが、制御位置にて、前記光学ドライブ内に配置されている際、前記視覚ラベルを適用可能であることを特徴とする、コンピューターシステム。
【請求項３１】
前記第１ヘッドは光学的読取専用ヘッドを有することを特徴とする請求項３０に記載のドライブ。
【請求項３２】
前記第１ヘッドは光学的読取−書込ヘッドを有することを特徴とする請求項３０に記載のドライブ。
【請求項３３】
前記第２ラベル印刷ヘッドは、固定印刷ヘッドを有することを特徴とする請求項３０に記載のドライブ。
【請求項３４】
前記第２ラベル印刷ヘッドは、可動印刷ヘッドを有することを特徴とする請求項３０に記載のドライブ。
【請求項３５】
前記第２ラベル印刷ヘッドは、感熱式印刷ヘッドを有することを特徴とする請求項３０に記載のドライブ。
【請求項３６】
前記第２ラベル印刷ヘッドは、インクジェット型印刷ヘッドを有することを特徴とする請求項３０に記載のドライブ。
【請求項３７】
前記第２ラベル印刷ヘッドは、レーザー型印刷ヘッドを有することを特徴とする請求項３０に記載のドライブ。
【請求項３８】
前記光学媒体ユニットは、電子ラベリング装置に装填されることが可能であり、前記第２ヘッドは、前記ユニットが前記制御位置にて、前記移動機構内に受け入れられる際、前記電子ラベリング装置に連通可能であることを特徴とする請求項３０に記載のドライブ。
【請求項３９】
前記第２ラベル印刷ヘッドは、一つ以上の電気接点を介して、前記電子ラベリング装置に連通可能であることを特徴とする請求項３０に記載のドライブ。
【請求項４０】
前記第２ラベル印刷ヘッドは、ワイヤレスインターフェースを介して、前記電子ラベリング装置に連通可能であることを特徴とする請求項３０に記載のドライブ。
【発明の詳細な説明】
【技術分野】
【０００１】
本発明は、一般にコンピューター周辺機器及びこれに類する技術に関し、特に、リムーバブル媒体ドライブ中でリムーバブル媒体の印刷の用に供するプリンター機構に関する。
【背景技術】
【０００２】
ラベルの有用性は、自明性である。ＣＤ／ＤＶＤ、光学媒体及びフロッピー（登録商標）ディスク等の他の媒体、ＶＨＳテープやこれに類するものなどのリムーバブル媒体に関して、ラベリングは、媒体の内容を同定し、或いは、代替的に、記録データ、内容に関連するコード化されたインデックス又はこれに類するものを含んでいる可能性がある。ＣＤ／ＤＶＤ「焼付け」能力なる比較的最近の付加物を含む大容量の情報処理能力を有するコンピューターは、リムーバブル保存に関するラベリングの許容性からの恩恵を受けている。コンピューターユーザーは、常套的なレーザー又はインクジェット型プリンターを用いて、ＣＤやＤＶＤのラベルを印刷すべく設計された特別に適合されたソフトウェアを介した能力により処理することは周知である。幾つかの場合、ユーザーは、種々の方法及び配置を用いて、ディスク自体の上に直接印刷する能力を有してもよい。２００１年５月２０日に登録されたＬｅｅらの特許文献１では、コンパクトディスクの表面上に輪状のインデックスを直交的に印刷すべく配置されたインクジェット方又はレーザープリントヘッドを用いたプリンターについて述べている。Ｌｅｅらのシステムにおいて、このプリンターヘッドは、ディスクが静止しながら回転するということを記すべきである。感熱式印刷システムは、２００１年１１月１６日に登録されたＤｒｙｎｋｉｎらによる特許文献２及び２０００年１１月２１日に登録されたＨａｎｇｓｔｒｏｍらによる特許文献３に述べられている。これら印刷システムは、ＣＤ又はＤＶＤ上に直接印刷することを可能にしているが、ラベリングに関連した低速度とは有意に異なった読取及び書込に必要な回転速度を特に付与されたドライブから離れて、ディスクを除去し、別の装置中に挿入しなければならない点で、ユーザーに取って簡便なものは存在していない。
【０００３】
２００１年８月７日に登録されたＫｉｎｇらによる特許文献４では、インクジェット型プリントヘッドを有し、紙上に印刷するための着脱可能なプリントロールを有するプリンターユニットを有する印刷システムについて述べられている。この印刷ユニットは、コンピューターの空のドライブベイに挿入されてもよいが、ディスクに直接印刷することに関しては供されていない。せいぜいよくても、ＣＤ印刷は、異なるドライブ装置上にて実行される「焼付け」や書込などのＣＤの処理とは異なっているため、追加のステップは、ＣＤストンパー（ＣＤ  Ｓｔｏｍｐｅｒ）やラベルシートなどの典型的な手段にて、ユーザーのデスクトップが散乱してしまう。加えて、使用する各ラベルシートに関するプリンター配列及び関連するプリンター設定の調節は、常套的なラベリング工程をさらに困難としてしまう。したがって、ＣＤ又はＤＶＤを「生成」する工程は、二つの一般的なステップに典型的に分けられる：一つは、ディスクにデータを「焼付け」たり書き込んだりする「内部」工程と、いくつかのＣＤは、レーザー型又はインクジェット型印刷技術のいずれかにて、テキスト又は画像の印刷を可能にするざらつきのある上部表面を有しているので、ディスク上にラベルを印刷したり固定し、或いは、代替的にディスク上に直接印刷する「外部」工程とがある。しかしながら、常套的なディスク印刷は、デスクトップやシェルフスペースに場所をとる追加の装置が必要な、分離した煩わしい工程である。常套的な工程は、プリンターから標準紙を除去したり所望するラベル付けされたＣＤ／ＤＶＤを生成する度毎にラベル紙をプリンターに置くという追加のステップをユーザーに強いることとなり、この工程は、デスクトップの配置に割り込み、時間を浪費してしまう可能性がある。
【０００４】
ＣＤ／ＤＶＤ上への印刷に関連する追加の問題は、印刷媒体自体にある。常套的なＣＤ／ＤＶＤラベリング媒体に関連する欠点の一つは、インクジェット型印刷スキームにおけるインクのにじみであり、且つ、レーザーに関連した印刷に関するトナーのにじみである。上述の問題に対する解決法には、異なるラベル上に印刷することを含み、その後、ドライブからＣＤ／ＤＶＤ媒体を除去し、且つ、追加のステップが必要な印刷機構から印刷されたラベルを除いて、このＣＤ／ＤＶＤに取り付けられてもよい。ラベル内容の変更を所望する場合には、新規のラベルを印刷し、古いラベルを除去する必要がある。なぜなら、ラベルの蓄積は、ドライブの回転機構に干渉する可能性があるからである。したがって、多くの常套的なラベル印刷方法及び装置は、ＣＤ／ＤＶＤ媒体上に簡便にラベルを印刷することには及ばないことは明らかである。
【０００５】
したがって、「ＣＤを生成」する制御は、同じ装置内で完全に実行されてもよいように、ＣＤ／ＤＶＤ媒体ラベル印刷と媒体の「焼付け」又は書込工程を一体化する方法を提供することが望まれている。常套的な印刷方法、例えば、インク、トナー又はこれに類するものを使用し、且つ、インク又はトナーの使用を超えて行うことができる媒体のラベル印刷を提供することが望まれている。
【特許文献１】米国特許第６，２０２，５５０Ｂ１号明細書
【特許文献２】米国特許第６，３１２，１７４Ｂ１号明細書
【特許文献３】米国特許第６，１４８，７２２号明細書
【特許文献４】米国特許第６，２７０，１７７Ｂ１号明細書
【発明の開示】
【発明が解決しようとする課題】
【０００６】
従って、本発明は、媒体を取り除く必要がなく、ＣＤ／ＤＶＤ内部ラベリングの能力を有する光学媒体データ保存の読取及び書込に関するドライブ、好ましくは内部ドライブに関連している。
【課題を解決するための手段】
【０００７】
一つの実施例において、例えば、ＣＤやＤＶＤなどの光学ディスクなどの光学媒体のユニット上にラベルを印刷することが可能なドライブが設けられている。本発明のドライブは、好ましくは、ヘッド支持機構、エンクロージャー、コネクター及びこれらに類するドライブに典型的に関連付けられたモータードライブ機構、スピンドル及びその他の特徴を有するフレームなどのシャシードライブユニットを有している。このドライブは、光学媒体のユニットを受け入れ且つドライブ内部に例えばモータードライブシステムなどを伴ったこのユニットを配置し且つヘッドに近接するなどした制御位置に配置することが可能なシャシードライブユニットに接続された移動機構をさらに有していてもよい。書込及び／又は読取ヘッドなどの第１ヘッドは、シャシードライブユニットに接続されていてもよく、且つ、第１側面上の光学媒体のユニットに光学連通可能であってもよい。第２ラベル印刷ヘッドは、シャシードライブユニットに接続されていてもよく、且つ、その第２側面上の光学媒体のユニットに関連付けられた視覚ラベルの適用が可能であってもよい。この第１ヘッド及び第２ヘッドは、それぞれ、視覚ラベルに光学連通し且つ適用可能であり、一方で、光学媒体のユニットは、制御位置にて、このドライブ内に配置される。従って、ラベル印刷並びに読取及び書込は、媒体を取り出すことなく実行されてもよい。本発明のドライブにおける第１ヘッドは、光学的読取専用ヘッド又は光学的読取−書込ヘッドを有していてもよく、一方で、第２ヘッドは、限定しないが：固定印刷ヘッド、可動印刷ヘッド、感熱式印刷ヘッド、インクジェット型印刷ヘッド又はレーザー型印刷ヘッドを有していてもよい。種々の代替的な実施例によると、この光学媒体のユニットは、電子ラベリング装置に備えることが可能であってもよいことは記されるべきである。第２ヘッドは、ユニットが一つ以上の電気接点を介して、或いは、ワイヤレスインターフェースを介して、上記の移動機構の制御位置に受け入れられる一方で、電子ラベリング装置に連通することが可能である。
【０００８】
本発明の別の実施例によると、円形フィルムは、光学媒体のユニットに結合されることが可能である。この円形フィルムは、このフィルムが、ＣＤ／ＤＶＤやその他の類似物などの光学ディスクなどの光学媒体ユニットに結合されてもよく、且つ、さらに、例えば、この円形フィルムに関連付けられた膜層内部に埋め込まれるなどの、結合領域に接続されたアドレス可能要素領域をさらに有していてもよい、結合領域を好ましく有する。このアドレス可能要素領域は、ヘッドによりアドレス可能な一つ以上のアドレス可能要素を好ましく有しており、これにより、アドレス時、視覚ディスプレイを提供する。このアドレス可能要素は、液晶要素などのディスプレイ要素を有していてもよく、且つ、一つ以上の接点をさらに有していてもよい。したがって、アドレス可能要素は、接点と接触ヘッドとの間の電気接触によりアドレスされることが可能である。代替的に、このアドレス可能要素は、ワイヤレスヘッドを有するワイヤレスインターフェースを介してアドレスされることが可能な関連された一つ以上のワイヤレスレシーバーを有していてもよい。
【０００９】
本発明のさらに別の実施例によると、光学媒体のユニットに適用されることが可能な製品を提供する。この製品は、例えば光学媒体に結合する結合領域を有する円形フィルム及び結合領域に接続され、一つ以上のアドレス可能要素を有するアドレス可能要素を有していてもよい。このアドレス可能要素は、ヘッドによりアドレスされることが可能であってもよく、これにより、アドレスの際、視覚ディスプレイを提供することになる。円形フィルムは、その端部において接触領域をさらに有していてもよく、このアドレス可能要素は、接触ヘッドにより、接触領域における対応する一つ以上のロー接点及び一つ以上の対応するカラム接点と接触してアドレス可能である。このアドレス可能要素は、一つ以上のアドレス可能要素及びワイヤレスヘッドに関連した一つ以上のレシーバーにて、ワイヤレスインターフェースを介してさらにアドレスされてもよい。
【００１０】
本発明のさらに別の実施例によると、ＣＤ、ＤＶＤまたはこれに類する光学ディスクなどの光学媒体のユニット上にラベルを印刷することのできる機構が設けられている。この機構は、第１側面上の光学媒体のユニットと光学連通可能な、書込及び／又は読取ヘッドなどの第１ヘッドを好ましく有している。第２ラベル印刷ヘッドは、例えば、シャシーやフレームピース又はこれに類するものを介するなどして、第１ヘッドの少なくとも一部に接続されていてもよく、且つ、第２側面上の媒体に関連した視覚ラベルを適用することが可能であってもよい。本発明によると、第１ヘッド及び第２ラベル印刷ヘッドは、それぞれ、光学連通し且つ視覚ラベルを適用することが可能であって、一方で、光学媒体のユニットは、このドライブの制御位置に配置されていることは記されるべきである。種々の例示的な実施例によると、第１ヘッドは、光学読取専用ヘッド又は光学読取−書込ヘッドを有していてもよい。第２ラベル印刷ヘッドは、限定しないが：固定印刷ヘッド、可動印刷ヘッド、感熱式印刷ヘッド、インクジェット型印刷ヘッド、レーザー型印刷ヘッド又はこれらに類似するものを有していてもよい。代替的に、電子ラベル装置は、光学媒体に結合されることが可能なように設けられていてもよい。かかる例において、第２ラベル印刷ヘッドは、媒体が一つ以上の接点を介して、或いは、ワイヤレスインターフェースを介して制御位置に存在する際、電子ラベル装置に好ましく連通可能である。
【００１１】
本発明のさらに別の例示的な実施例によると、コンピューターシステム内部に単一の挿入にて、光学媒体のユニット上にラベルを印刷することが可能なコンピューターシステムを設けている。これによると、このコンピューターシステムは、プロセッサー；例えば、データ書込及び／又は読取が可能で、且つ、ラベル印刷が可能な、プロセッサーに接続された光学ドライブを好ましく有している。この光学ドライブは、その第１側面上の光学媒体と光学連通が可能な第１ヘッドと、例えば、フレーム部材やシャシーなどを介して、第１ヘッドの少なくとも一部に接続された第２ラベル印刷ヘッドとを好ましく有している。第２ラベル印刷ヘッドは、その第２側面上の光学媒体のユニットに関連付けられた視覚ラベルを好ましく適用可能である。第１ヘッド及び第２ラベルヘッドは、それぞれ、光学連通及び視覚ラベルを適用することが可能であり、一方で、光学媒体は、制御位置における光学ドライブの内部に配置されていることを記されるべきである。種々の例示的な実施例によると、第１ヘッドは、光学読取専用ヘッド或いは光学読取−書込ヘッドを好ましく有している。第２ヘッドは、限定しないが：固定印刷ヘッド、可動印刷ヘッド、感熱式印刷ヘッド、インクジェット型印刷ヘッド、レーザー型印刷ヘッドを好ましく有している。光学媒体のユニットは、電子ラベル装置に装填されることが好ましく可能である。第２ヘッドは、このユニットが、一つ以上の電気接点を介して制御位置にある場合、電子ラベリング装置に連通することが好ましく可能である。代替的に、第２ヘッドは、ワイヤレスインターフェースを介して、電子ラベリング装置に連通することが可能である。
【００１２】
以上の記述及び以下の詳細な記述の両方は、例示的且つ説明的であって、請求した本発明を限定するものではない。明細書の一部に取り込まれ構成している添付した図面は、本発明の実施例を示しており、一般的な記述とともに、本発明の趣旨を説明する機能を有している。
【００１３】
本発明の種々の利点は、添付した部面を参照することにより、当業者にとってより良好に理解されるであろう。
【発明の効果】
【００１４】
「ＣＤを生成」する制御は、同じ装置内で完全に実行されてもよいように、ＣＤ／ＤＶＤ媒体ラベル印刷と媒体の「焼付け」又は書込工程を一体化する装置を提供する。
【発明を実施するための最良の形態】
【００１５】
本発明は、媒体の除去を必要とすることなく、ＣＤ／ＤＶＤ内部ラベリングが可能な光学媒体データ記録と読取書込ドライブを提供する。本発明によると、熱又はインク印刷を用いた移動又は静止印刷ヘッドを常套的な光学読取／書込ヘッドに組み込んでもよい。代替的に、電子ラベルは、この光学媒体に固定されてもよく、印刷ヘッドは、視覚的に読取可能な文字を生成すべくラベル上に個々のセルに対して例えば、「書込」などのアドレスをすべく、電子ラベルに接続してもよい。
【００１６】
図１Ａに示すように、シナリオ１００において、ラベル書込能力は、例えば、ドライブ１１１としてデスクトップ型タワー１１０に設けられてもよく、光学ドライブ１１２などのその他の周辺機器に加えて周辺機器として導入されてもよい。代替的に、ラベル書込能力は、ラベラー１２１を有するスタンドアローン型システム１２０に設けられてもよい。上述したように、いずれかの環境において特定の欠点が存在する。より良好に図１Ｂに示した常套的なシステムに関する初期的な問題は、特に分離読取又は書込システムから離れた、異なる装置に配置すべく、データ保存読取及び／又は書込装置からＣＤ／ＤＶＤを除去する必要性に関連している。典型的なセッションの間、ＣＤ／ＤＶＤは、例えば、光学ドライブ１１２などのドライブユニットの内部にて、ステップ１３０として書き込まれてもよい。ＣＤ／ＤＶＤは、その後、ステップ１４０において、光学ドライブ１１２からとりだされてもよく、且つ、ステップ１６０においてラベルが生成されてもよいラベリングユニット内へステップ１５０において、挿入されてもよい。また、この工程は、ラベルがステップ１６０において生成される図１Ｂに示すように反転されてもよく、ＣＤ／ＤＶＤは、ステップ１５０においてラベリングユニットから取り出され、ステップ１４０において、ＣＤ／ＤＶＤは、光学ドライブ１１２などのドライブユニットに挿入され、且つ、そこで、ＣＤ／ＤＶＤは、読取又は書込が行われる。ラベルの書込又はデータの読み込み若しくは書込に関して所望であるにかかわらず、ステップ１４０及び１５０は、分離できないものであることは理解され、例えば、媒体は、一つのドライブから取り出され、且つ、媒体のマネージメントタスクを完了すべく別の装置に配置されなければならない。明らかに好ましく、利点を有するのは、ラベル印刷並びにデータの読取及び書込に関して、媒体の取り出し及び分離したドライブへの再度の挿入に関連した追加のステップを必要とすることなく可能であることである。参考文は、ＣＤ／ＤＶＤに関してなされているが、本発明は、種々のユニット、例えばディスク又は光学媒体と同様の者へ適用することも記されるべきである。代替的な実施例において、本発明は、他の媒体、及び保存部材にて実行され、これらには、常套的な媒体環境を含み、例えば、３．５インチのフロッピー（登録商標）ディスク又はその他のディスケットフォーマット、ＶＣＲテープ、ＤＶＤ、バックアップ用デジタルテープ又はこれに類するものが挙げられる。
【００１７】
従って、本発明の種々の例示的な実施例及び代替的で例示的な実施例によると、ラベルプリンターを含むドライブ２１１が設けられ、データ読取及び書込能力は、シナリオ２００にて図２Ａに示されているラベルプリンター並びに読取及び／又は書込ヘッドは、シャシードライブユニット（図示せず）ハウジングに接続され、例えば、単一移動機構ドライブモーター、サーボ及びこれに類するものが挙げられ、当業者には理解可能なものである。単一移動機構は、すべてに必要である。なぜなら、光学媒体のユニットは、ラベルの書込及び媒体上へのデータの書込の両方に関して一度挿入されてもよいからである。デスクトップ型タワー２１０は、インベンティブドライブ２１１に設けられてもよく、データの読取及び書込に関する追加の光学ドライブ機構の必要性を削除し、且つ、分離した媒体ラベラーに関する必要性がない。本発明の代替的実施例によるドライブ２１１は、スタンドアローン型ユニット２２０として設けられてもよい。スタンドアローン型ユニット２２０又はデスクトップ型タワー２１０を設けるかどうかで、本発明におけるドライブ２１１は、図２Ｂに示すような媒体マネージメントを簡略化する。ステップ２３０において、ＣＤ／ＤＶＤは、ドライブ２１１に関連する単一移動機構に挿入されてもよく、読取又は書込は、ステップ２４０において実行されてもよく、ステップ２５０において、ラベルが生成されてもよい。代替的に、ラベリングは、ステップ２４０における読取又は書込の前、或いは、ステップ２３０における挿入の前に、ステップ２５０において第一に行われてもよい。データ読取か書込か、或いはラベル生成か媒体の挿入取り出しかは、これらステップが、同様の線形的なシーケンスにて関連するかということであることは容易に理解可能であって、例えば、ステップ２３０、２４０、２５０、２３０；であるか、２３０、２５０、２４０、２３０；であるかである。さらに理解されるであろう事柄は、媒体マネージメントに関するいくつかの例において、ラベルは、単独で生成されてもよいということである。もし媒体のラベルが、すでに印刷された場合、データの読取又は書込は、特定の媒体マネージメントセッションに関して所望とされるすべてであってもよい。さらに理解されるであろう事柄は、本発明の代替的で例示的な種々の実施例によると、ラベルプリンターは、読取専用光学ヘッド機構に連通して使用されてもよいということである。
【００１８】
本発明のドライブをより良好に理解すべく、シナリオ３００に関するより詳細な図が図３Ａに示されている。読取／書込ヘッド又は読取専用ヘッドであってもよいヘッド３１２を有する光学移動機構３２０を設けられてもよく、且つ、さらにラベル印刷機構３３０を設けられてもよい。ＣＤ／ＤＶＤ又はその他の光学媒体３１２は、スロット３１１を介してドライブ３１０内に配置されてもよい。図３Ｂ及び図３Ｃは、光学移動機構３２０及びラベル印刷機構３３０をより良好に示している。
【００１９】
ラベル印刷機構３３０は、インクジェット若しくはこれに類似する技術などのインクベースの印刷ヘッド、レーザー若しくはこれに類似の技術などの熱ベースの印刷ヘッド又はこれに類するものであってもよい、印刷ヘッド３３１を設けられており、これらは、いずれも当業者に公知である。図３Ｂにおいて、印刷ヘッド３３１は、移動ヘッド技術にて示されており、図３Ｃでは、印刷ヘッド３３２は、静止ヘッド技術として示されている。当業者に理解されるであろう事柄は、例えば、印刷ヘッド３３１に関連した移動ヘッド技術は、この印刷ヘッドをディスクの全円周に沿って配置されてもよいようなヘッド移動機構を必要とする一方で、例えば印刷ヘッド３３２に関連した静止ヘッド技術では、ディスクの全円周をスパンする印刷手段を有しているということである。
【００２０】
本発明に従ってディスクを適切に制御するため、特定の基本システム制御は、特に、媒体に対するデータの読取又は書込から媒体のラベリングへの移行を制御するための高及び／又は低レベルソフトウェアにて実行されてもよい。幾つかの実施例にて理解されるであろうことは、データの書込及び／又は読取に必要な速度は、相対的に低いラベル印刷に関連した速度と異なるということである。他の実施例において、ラベル印刷は、標準的な読取／書込速度にて実行される。正確な制御を利用するこれら実施例において、二つの制御、つまり、読取／書込／ラベル印刷は同時に組み合わされる。
【００２１】
特に興味あるのは、データをＣＤ／ＤＶＤに書き込むステップ又はディスクの表面又は電子ラベルへとラベルを書込むステップであって、以下に詳述する。図４Ａに示したフローチャートのステップ４１０において、光学媒体のユニット、例えば媒体ディスクは、通常の様式、例えば、ドライブの正面におけるアクセススロットを介して、又は移動機構を介して、ドライブユニット内に挿入されてもよい。いずれかの場合において、媒体ディスクは、移動機構に受け入れられてもよく、且つ、媒体が制御位置に存在する、例えば、データ書込及び／又は読取ヘッド並びにラベル印刷ヘッドに相対した制御位置に存在するように、ドライブ内の位置に配置されてもよい。本発明によると、この媒体は、同様の制御位置において、書込並びに読取及び／又は印刷されてもよいことを記すべきである。この媒体は、初期化されてもよく、つまり、情報は、存在すれば媒体の内容に関して読み取られてもよく、且つ媒体の情報、例えば媒体の書込の準備がされている場合、ラベルの書込が準備されている媒体のステータスは、前もってラベルが書き込まれているかこれと類似していてもよい。
【００２２】
以下に詳述する電子ラベルが好ましくは、意思に応じて再書込されてもよい一方で、媒体の表面に直接書き込まれるインク又は熱ラベルは、典型的に一度で典型的に書き込まれてもよい。従って、好ましくは、媒体上のどこかにファイルを保持することが所望であって、媒体ラベル書込ステータスを示している。媒体のステータスは、その後、スロット３１１において、オペレーティングシステム（ＯＳ）に報告されてもよい。テスト４１２により、媒体がファイル及び／又はラベル書込の容易が整っていることを示す場合、ファイル及び／又はラベル書込のデータは、ステップ４１１においてソフトウェア又は活性化ディレクトリーウィンドウ又はこれに類するその他からロードされてもよく、信号又はこれに類するものは、ステップ４１３において、ＯＳへと発生されてもよく、適切なウィンドウ、メッセージ又はこれらに類するものは、媒体がファイル及び／又はラベル書込及びさらに詳細な情報に関する準備が整っていないことをユーザーに示すべく表示されてもよいが、これらの事柄は当業者に理解されるであろう。テスト４１５によりファイルデータが書き込まれるべく存在していないことを明らかにした場合は、ステップ４１７において、書き込まれてもよく、書き込まれるファイルデータ又は追加のファイルデータが存在しない場合、書き込まれるべきラベルデータが存在するかどうかを明らかにすべくテスト４１６を行ってもよく、そうであれば、ステップ４１７において、媒体に書き込まれてもよい。
【００２３】
上述のステップがデータの書込及びＣＤ／ＤＶＤのラベリングに関連した低レベルのステップの例示的なシーケンスを示す一方で、図４Ｂに示した例示的なより高いレベルのソフトウェアアプリケーションに関する制御を考慮することは有用である。その点、上述したように、媒体ディスクは、ステップ４１０において挿入されてもよく、ステップ４１１において媒体ステータスを決定し報告されてもよい。さらに、媒体ラベリングを含む媒体に関連付けられてもよい種々の可能性のあるオプション又はアクションを介してユーザーにガイドすべく、ステップ４２０において、ウィンドウを立ち上げてもよい。ステップ４２１において、ユーザーのアクションプリファランスを決定してもよく、ステップ４２２において、特定のアクションプリファランスに関連した詳細な制御をマネージメントすべく、適切なソフトウェアアプリケーションを立ち上げてもよい。テスト４２３でファイル書込適用が立ち上げられる場合、書き込むべくステップ４２４において準備されてもよく、その後、ステップ４２５において書き込まれてもよく、その他、テスト４２６でラベル書込適用が立ち上げられた場合、ディスクはその後、ステップ４２７においてラベル書込を行うべく準備されてもよくその後、ステップ４２８において書き込まれてもよい。ステップ４２８の完了又はステップ４２５の完了において、書き込まれるラベルデータが存在しないことに関して、工程フローは、戻ってもよく、且つ、ファイルデータ及び／又はラベルデータに関する次なる書込の要求の検知を待って、上述のステップを繰り返してもよい。
【００２４】
代替的で例示的な種々の実施例によると、電子ラベル装置又は「電子インク」を用いてラベルを書き込んでもよく、これらは、シナリオ５００にて、図５Ａに示した工学媒体のユニットにて、結合され、粘着され、取り付けられ、適用され、あるいは、当業者公知の様式に関連するその他の技術にて処理されていてもよい。媒体３１２に関してドライブ５１０にてラベリングが供されてもよく、フィルム５１２が、製造工程又はその後のいずれかにおいて、媒体３１２の表面上に配置されるアドレス可能要素を伴ったフィルム５１２により行われてもよい。フィルム５１２は、スロット５１１に一旦挿入されると、以下に詳述するようにヘッドユニット５３０内部に配置された対応する接点のシリーズにより、読取可能な端部接点５１３を設けられてもよい。他の実施例によると、「電子インク」技術に使用するアドレス可能要素は、アドレス可能媒体を有するフィルム５１２を用いるよりも、媒体３１２自体の内部に埋め込まれても、或いは、直接接着されてもよい。他の実施例のように、ドライブ５１０は、読取−書込ヘッド又は読取専用ヘッドであってもよいヘッド３２１を有する光学移動機構３２０を装填されてもよい。本発明によるフィルム５１２をより良好に理解すべく、図５Ｂを参照する。フィルム５１２は、端部接点５１３及び接触領域５１５を有していてもよいことは明らかである。フィルム５１２をヘッド３１２に取り付けることは、取付方法５１６により行われてもよく、これらには、熱ボンディング、グルーボンディング、スタティックボンディング、接着剤、接着剤を用いずに、又は当業者公知のその他の方法が挙げられる。ここに適用されるフィルム５１２を有するディスク３１２は、ドライブに関連する移動機構に配置されてもよく、且つ、ヘッドユニット５３０近傍の制御位置に取りこまれてもよく、ここで、ヘッド接点５３１は、以下に詳述するように、フィルム５１２上への書込に関連した要素接点に接触していてもよい。
【００２５】
シナリオ５４０において、フィルム５１２に関する例示的な要素に関するより詳細な図を図５Ｃに示している。フィルム５１２が、アドレス可能要素５４１のシリーズを含むことが分かり、これらは、例えば、液晶や不鮮明な光学状態にあることにより電気刺激に反応するその他の要素であってもよい。特定要素５４１に関連したカラム接点５４３やロー接点５４４に接続することにより、特定要素５４１に関して所望の文字やパターンに対応したデータは、視覚可能ラベルを形成すべく連通されてもよい。特定要素５４１は、表示されることを所望する文字に対応するデータにて書き込まれてもよい個々の文字要素に対応していてもよい。代替的に、各特定要素５４１は、本来、ピクセル様であってもよく、各特定要素５４１は、アドレスされてもアドレスされなくても、クリアであり、或いは視覚可能のいずれかであってもよく、特定要素５４１の個々のオン−オフ設定に基づいて視覚可能ラベルを作り出す視覚可能パターン又は文字を形成するのに用いてもよい大きいアレイの一部であってもよい。アドレス可能要素の一つのカラムのみが示されているが、複数がフィルム５１２に存在していることは理解されるであろう。さらに理解されることは、特定要素５４１は、接点を介して電子的にアドレス可能であるように示されているが、好ましくは、接点に静電結合することを含むワイヤレスカップリングなどのワイヤレスインターフェースを電子的に介したり、或いは、小型で低出力で安価のレシーバーや、全ての要素に接続する単一のレシーバーを層点された個々の要素のいずれかに直接的にワイヤレスアクセスすることを介して、要素をアドレスすることである。直接的なワイヤレススキームにおいて、ヘッドユニット５３０は、アドレスし且つ書き込む、さらにさらなる書込を阻止するなどの要素の内容を「フィックス（ｆｉｘ）」する要素に関する登録プロトコールを用いた小型のワイヤレストランスミッターを好ましく含んでもよい。
【００２６】
ＣＤ／ＤＶＤ内部ラベルプリンター及び本発明の電子インク及びこれらの明らかな利点の多くは、上述の記述により理解されると確信する。また、本発明の範囲及び精神から解離することなく且つこれら材料の利点の全てを犠牲にすることなく、これらの形態、構造及び部材の配置にて種々の変更を行ってもよいことが明らかであることを確信する。上述した形態は、これらの例示的な実施例でしかない。以下の請求項の意図は、かかる変更を包含し含むことを意図している。
【図面の簡単な説明】
【００２７】
【図１Ａ】ＣＤ／ＤＶＤ内部書込／読取ドライブ及び分離したＣＤ／ＤＶＤ内部ラベラー及びスタンドアローン型ＣＤ／ＤＶＤラベラーを有する例示的で常套的なコンピューターシステムを示す図である。
【図１Ｂ】ＣＤ／ＤＶＤ内部書込／読取ドライブ及び分離したＣＤ／ＤＶＤ内部ラベラー及び／又はスタンドアローン型ＣＤ／ＤＶＤラベラーを有する例示的で常套的なコンピューターシステムにおける書込及びＣＤ／ＤＶＤラベリングに関連したステップを示すフローチャートである。
【図２Ａ】本発明に従った、ＣＤ／ＤＶＤラベラーを有する例示的なＣＤ／ＤＶＤ内部書込／読取ドライブを有するコンピューターシステムを示す図である。
【図２Ｂ】本発明に従った、同様のドライブにおけるＣＤ／ＤＶＤの書込及びラベリングに関連した例示的なステップを示すフローチャートである。
【図３Ａ】本発明に従った、光学読取／書込ヘッド及び例示的なＣＤ／ＤＶＤラベラーヘッドを示す、例示的なＣＤ／ＤＶＤ内部書込／読取ドライブを示す図である。
【図３Ｂ】本発明に従った、光学読取／書込ヘッド及び例示的なＣＤ／ＤＶＤラベラー移動ヘッドをさらに示す、例示的なＣＤ／ＤＶＤ内部書込／読取ドライブを示す図である。
【図３Ｃ】本発明に従った、光学読取／書込ヘッド及び例示的なＣＤ／ＤＶＤラベラー静止ヘッドをさらに示す、例示的なＣＤ／ＤＶＤ内部書込／読取ドライブを示す図である。
【図４Ａ】本発明に従った、例示的なＣＤ／ＤＶＤラベラーヘッドの使用に関連した例示的な低レベルのステップを示すフローチャートである。
【図４Ｂ】本発明に従った、例示的なＣＤ／ＤＶＤラベラーヘッドの使用に関連した例示的な高レベルのステップを示すフローチャートである。
【図５Ａ】本発明の代替的な実施例に従った、光学読取／書込ヘッド及び例示的なＣＤ／ＤＶＤラベラーヘッドを示す、例示的なＣＤ／ＤＶＤ内部読取／書込ドライブを示す図である。
【図５Ｂ】本発明の種々の代替的で例示的な実施例に従った、電子インクセルに関する例示的な接続スキームを示す図である。
【図５Ｃ】本発明の種々の代替的で例示的な実施例に従った、電子インク及び接続する例示的なＣＤ／ＤＶＤラベラーヘッドに関する例示的なラベルを示す図である。
【符号の説明】
【００２８】
１００    シナリオ
１１０    デスクトップ型タワー
１１１    ドライブ
１１２    光学ドライブ
１２０    スタンドアローン型システム
１２１    ラベラー
１３０    ステップ
１４０    ステップ
１５０    ステップ
１６０    ステップ
２００    シナリオ
２１０    デスクトップ型タワー
２１１    ドライブ
２２０    スタンドアローン型ユニット
２３０    ステップ
２４０    ステップ
２５０    ステップ
３００    シナリオ
３１０    ドライブ
３１１    スロット
３１２    ヘッド
３２０    光学移動機構
３２１    ヘッド
３３０    ラベル印刷機構
３３１    印刷ヘッド
３３２    印刷ヘッド
４１０    ステップ
４１１    ステップ
４１２    テスト
４１３    ステップ
４１５    テスト
４１６    テスト
４１７    ステップ
４１８    ステップ
４２０    ステップ
４２１    ステップ
４２２    ステップ
４２３    テスト
４２４    ステップ
４２５    ステップ
４２６    テスト
４２７    ステップ
４２８    ステップ
５００    シナリオ
５１０    ドライブ
５１１    スロット
５１２    フィルム
５１３    端部接点
５１５    接触領域
５１６    取付方法
５３０    ヘッドユニット
５３１    ヘッド接点
５４０    シナリオ
５４１    特定要素
５４３    カラム接点
５４４    ロー接点
【図１Ａ】
2005071566.tif 000003
【図１Ｂ】
2005071566.tif 000004
【図２Ａ】
2005071566.tif 000005
【図２Ｂ】
2005071566.tif 000006
【図３Ａ】
2005071566.tif 000007
【図３Ｂ】
2005071566.tif 000008
【図３Ｃ】
2005071566.tif 000009
【図４Ａ】
2005071566.tif 000010
【図４Ｂ】
2005071566.tif 000011
【図５Ａ】
2005071566.tif 000012
【図５Ｂ】
2005071566.tif 000013
【図５Ｃ】
2005071566.tif 000014